【手続補正書】
【提出日】平成16年9月15日(2004.9.15)
【手続補正１】
【補正対象書類名】明細書
【補正対象項目名】特許請求の範囲
【補正方法】変更
【補正の内容】
【特許請求の範囲】
【請求項１】
ユーザ利用のクライアント装置からのコンテンツデータの取得要求に応じて、コンテンツ・サーバ装置によって保持されている原コンテンツデータに対して所定のコンテンツ処理サービスを実施するコンテンツ処理サーバ装置が設けられるコンテンツ処理サービス制御システムであって；
前記クライアント装置からの前記コンテンツ取得要求を受信したとき、前記コンテンツ処理サービスの起動の必要性を判定して起動要求を通知するネットワークのエッジ装置と；
前記エッジ装置から前記起動要求を通知されたとき、前記コンテンツ処理サービスに加入しているユーザに関する契約情報に基づいて、前記コンテンツ処理サーバ装置が実施するべき前記コンテンツ処理サービスの形態を決定し、決定した前記コンテンツ処理サービスの形態を少なくとも前記エッジ装置に処理要求として送信するサービス制御装置と；
を備えるコンテンツ処理サービス制御システム。
【請求項２】
前記サービス制御装置は、前記クライアント装置から送信された前記コンテンツデータを取得するための要求コンテンツに対して適用する前記コンテンツ処理サービスの形態を決定し、決定した前記コンテンツ処理サービスの形態及び前記要求コンテンツを前記コンテンツ処理サーバ装置に転送するように要求し；
前記エッジ装置は、前記サービス制御装置からの要求に応じて前記決定されたコンテンツ処理サービスの形態及び前記要求コンテンツを前記コンテンツ処理サーバ装置に転送し、前記コンテンツ処理サーバ装置から前記コンテンツ処理サービスが施された処理後コンテンツを受信し、この処理後コンテンツを前記コンテンツ・サーバ装置に転送して前記原コンテンツデータを取得する
請求項１記載のコンテンツ処理サービス制御システム。
【請求項３】
前記サービス制御装置は、前記コンテンツ・サーバ装置から送信された前記原コンテンツデータに対して適用する前記コンテンツ処理サービスの形態を決定し、決定した前記コンテンツ処理サービスの形態及び前記コンテンツ・サーバ装置から送信された前記原コンテンツデータを前記コンテンツ処理サーバ装置に転送するように要求し；
前記エッジ装置は、前記サービス制御装置からの要求に応じて前記決定したコンテンツ処理サービスの形態及び前記原コンテンツデータを前記コンテンツ処理サーバ装置に転送し、前記コンテンツ処理サーバ装置から前記コンテンツ処理サービスが施された処理後コンテンツを受信し、この処理後コンテンツを前記クライアント装置に転送する
請求項１記載のコンテンツ処理サービス制御システム。
【請求項４】
前記コンテンツ処理サービスは、ＵＲＬに基づく前記コンテンツ・サーバ装置へのアクセス・フィルタ、前記ユーザの嗜好に適合した広告の挿入、ウイルスチェック、及び言語翻訳を含む
請求項１記載のコンテンツ処理サービス制御システム。
【請求項５】
前記サービス制御装置は、前記コンテンツ処理サービスに加入しているユーザに関する契約情報として、ユーザ利用の前記クライアント装置の識別子と、前記コンテンツ処理サービスの種別情報とを保持する第１の記憶部を有する
請求項１記載のコンテンツ処理サービス制御システム。
【請求項６】
前記サービス制御装置は、前記原コンテンツデータ対応の処理前コンテンツの属性情報と、前記処理前コンテンツに対して適用された前記コンテンツ処理サービスの形態と、前記コンテンツ処理サービスが施された処理後コンテンツの属性情報と、前記処理後コンテンツがキャッシュとして格納されているエッジ装置の識別子とを保持する第２の記憶部を更に有する
請求項５記載のコンテンツ処理サービス制御システム。
【請求項７】
前記サービス制御装置は、前記コンテンツ処理サービスに関する課金情報として、前記コンテンツ処理サービスを提供した前記クライアント装置の識別子と、前記コンテンツ処理サービスの種別情報と、サービス提供時刻情報とを保持する第３の記憶部を更に有する
請求項６記載のコンテンツ処理サービス制御システム。
【請求項８】
前記エッジ装置は、前記クライアント装置、前記コンテンツ・サーバ装置、前記コンテンツ処理サーバ装置、及び他のエッジ装置の少なくとも１つとの間でコンテンツの送受信を行うコンテンツ転送部と、前記サービス制御装置及び前記コンテンツ処理サーバ装置の少なくとも一方とインタワークするインタワーク部と、前記原コンテンツデータ対応の処理前コンテンツをキャッシュとして保持する第１のキャッシュ部と、前記原コンテンツデータに基づいて前記コンテンツ処理サーバ装置で実施された前記コンテンツ処理サービスの結果対応の処理後コンテンツをキャッシュとして保持する第２のキャッシュ部と、前記コンテンツ処理サービスの起動の必要性を判定して前記第１及び第２のキャッシュ部及び前記インタワーク部と連携するプロキシ部と、
を有する請求項１記載のコンテンツ処理サービス制御システム。
【請求項９】
前記エッジ装置は、前記他のエッジ装置に対してこの他のエッジ装置内の第２のキャッシュ部にキャッシュされている前記処理後コンテンツを取得要求するクライアント部と、前記他のエッジ装置内のクライアント部からの要求に応じて自己のエッジ装置内の前記第２のキャッシュ部にキャッシュされている前記処理後コンテンツを応答するサーバ部と、
を更に有する請求項８記載のコンテンツ処理サービス制御システム。
【請求項１０】
前記サービス制御装置は、
前記クライアント装置から要求された前記処理前コンテンツに対して適用すべき前記コンテンツ処理サービスの形態を決定した後、
前記クライアント装置から要求された前記処理前コンテンツの属性情報及び前記処理前コンテンツに適用される前記コンテンツ処理サービスの形態をキー情報として、前記第２の記憶部を検索し、
該当する前記処理後コンテンツ対応のキャッシュが現在制御対象の前記エッジ装置に保持されていることが分かった場合、
前記コンテンツ処理サーバ装置での前記コンテンツ処理サービスを実施することなく、前記エッジ装置に対して前記処理後コンテンツ対応のキャッシュを使用することを命令し、前記処理後コンテンツを前記エッジ装置から前記クライアント装置に送信させる
請求項６記載のコンテンツ処理サービス制御システム。
【請求項１１】
前記サービス制御装置は、
前記クライアント装置から要求された前記処理前コンテンツに対して適用すべき前記コンテンツ処理サービスの形態を決定した後、
前記クライアント装置から要求された前記処理前コンテンツの属性情報及び前記処理前コンテンツに適用される前記コンテンツ処理サービスの形態をキー情報として、前記第２の記憶部を検索し、
該当する前記処理後コンテンツ対応のキャッシュが現在制御対象になっていない他のエッジ装置に保持されていることが分かった場合、
前記コンテンツ処理サーバ装置での前記コンテンツ処理サービスを実施することなく、現在制御対象になっている前記エッジ装置に対して、前記処理後コンテンツ対応のキャッシュを保持している前記他のエッジ装置から前記処理後コンテンツ対応のキャッシュを取得するように命令し、前記エッジ装置によって取得された前記処理後コンテンツを前記クライアント装置に転送させる
請求項６記載のコンテンツ処理サービス制御システム。
【請求項１２】
前記サービス制御装置は、
前記コンテンツ処理サーバ装置において前記処理後コンテンツが生成されたとき、または他のエッジ装置から前記処理後コンテンツを取得したとき、
前記処理後コンテンツを現在制御対象の前記エッジ装置のキャッシュ部にキャッシュするか否かを選択し、
キャッシュする際には、前記第２の記憶部に前記処理後コンテンツに関係する前記各情報を登録する
請求項６記載のコンテンツ処理サービス制御システム。
【請求項１３】
前記サービス制御装置は、
前記コンテンツ・サーバ装置で保持されている前記処理前コンテンツが更新されたことを検出したとき、
前記処理前コンテンツに基づいて生成された前記処理後コンテンツをキャッシュとして保持する前記エッジ装置または他のエッジ装置のサーバ部に依頼して前記処理後コンテンツをキャッシュ部から削除させ、
前記第２の記憶部から削除対象の前記処理後コンテンツに関係する前記各情報を削除する
請求項６記載のコンテンツ処理サービス制御システム。
【請求項１４】
前記サービス制御装置は、前記コンテンツ・サーバ装置で保持されている前記処理前コンテンツが更新されたことを検出したとき、前記エッジ装置または他のエッジ装置内のクライアント部に更新された前記処理前コンテンツの取得要求を発生させ、前記コンテンツ処理サービスを前記処理前コンテンツに適用するように制御し、
前記エッジ装置または他のエッジ装置内の前記クライアント部は、前記コンテンツ処理サービスが適用された前記処理後コンテンツを前記コンテンツ処理サーバ装置から取得すると、この処理後コンテンツをキャッシュ部に登録する
請求項６記載のコンテンツ処理サービス制御システム。